【手続補正書】
【提出日】平成23年7月8日(2011.7.8)
【手続補正１】
【補正対象書類名】明細書
【補正対象項目名】０００７
【補正方法】変更
【補正の内容】
【０００７】
本発明のプリプレグの巻回方法は、その一態様では、定盤と、この定盤に対して接離移動可能なマンドレルと、このマンドレルに対して接離移動可能な該マンドレルと平行な軸線を有する押圧ロールとを準備するステップ；上記定盤上に、熱硬化性樹脂シート中に強化繊維を含浸させてなる複数枚のプリプレグを各プリプレグの間に離型シートを介在させた状態で積層した積層プリプレグを載置するステップ；この定盤上に位置させた上記積層プリプレグの先端をマンドレルに巻き付け、該マンドレルと定盤との間及びマンドレルと押圧ロールとの間に該積層プリプレグを挟んだ状態で、該定盤とマンドレル及びマンドレルと押圧ロールとの間に押圧力を作用させるステップ；及びこの定盤、マンドレル及び押圧ロールの押圧状態において、該定盤とマンドレルとの間に、マンドレルの軸線と交差せずに直交する方向の相対移動力を与えることにより、該マンドレル及び押圧ロールを回転させて該マンドレルに上記積層プリプレグを巻回するとともに、このマンドレルへの巻回中に、上記離型シートを抜去するステップ；を有することを特徴としている。
【手続補正２】
【補正対象書類名】明細書
【補正対象項目名】０００８
【補正方法】変更
【補正の内容】
【０００８】
本発明のプリプレグの巻回方法は、別の態様では、定盤と、この定盤に対して接離移動可能なマンドレルと、このマンドレルに対して接離移動可能な該マンドレルと平行な軸線を有する弾性材料からなる押圧ロールと、この押圧ロールを軸線方向の異なる位置においてマンドレル方向へ押圧する複数の加圧ロールと、この複数の加圧ロールと押圧ロールの接触圧力を調整することで上記押圧ロールをマンドレルに押圧する押圧力を変化させる加圧ロール圧力調整シリンダ装置と、を準備するステップ；上記定盤上に、熱硬化性樹脂シート中に強化繊維を含浸させてなるプリプレグを載置するステップ；この定盤上に位置させたプリプレグの先端をマンドレルに巻き付け、該マンドレルと定盤との間及びマンドレルと押圧ロールとの間に該プリプレグを挟んだ状態で、該定盤とマンドレル及びマンドレルと押圧ロールとの間に押圧力を作用させるステップ；上記押圧ロールの周面に上記複数の加圧ロールを弾接させるステップ；この弾接状態で、上記加圧ロール圧力調整シリンダ装置により、上記複数の加圧ロールと押圧ロールの接触圧力を調整することで、上記押圧ロールをマンドレルに押圧する押圧力を変化させるステップ；及び上記定盤、マンドレル及び押圧ロールの押圧状態において、該定盤とマンドレルとの間に、マンドレルの軸線と交差せずに直交する方向の相対移動力を与えることにより、該マンドレル及び押圧ロールを回転させて該マンドレルにプリプレグを巻回するステップ；を有することを特徴としている。
この態様では、上記プリプレグを、複数枚のプリプレグを各プリプレグの間に離型シートを介在させた状態で積層した積層プリプレグとして、マンドレルへの巻回中に、離型シートを抜去するステップを含んでいてもよい。
【手続補正３】
【補正対象書類名】明細書
【補正対象項目名】００１０
【補正方法】変更
【補正の内容】
【００１０】
本発明は、プリプレグの巻回装置の態様では、熱硬化性樹脂シート中に強化繊維を含浸させてなるプリプレグを載置する載置平面を有する定盤；この定盤のプリプレグ載置平面に対し、その軸線を平行にして回転自在に支持したマンドレル；該マンドレルを定盤の載置平面に対して接離移動させる相対マンドレル移動機構；その軸線をマンドレルの軸線に平行に維持し、該マンドレルに対して接離移動可能な押圧ロール；該押圧ロールを定盤及びマンドレルに対して昇降させる相対押圧ロール昇降機構；上記定盤を固定した機枠；上記機枠上に、上記定盤のプリプレグ載置平面と平行な方向に移動自在に支持された前後移動枠；上記前後移動枠に、上記相対マンドレル移動機構及び相対押圧ロール昇降機構が支持されていること；上記前後移動枠に支持された、上記押圧ロールを軸線方向の異なる位置においてマンドレル方向に押圧する複数の加圧ロール；及び上記複数の加圧ロールにより上記押圧ロールをマンドレル方向に押圧することで、上記マンドレル及び押圧ロールを、定盤に対し、上記プリプレグ載置平面の平面方向において、マンドレルの軸線と交差せずに直交する方向に相対移動させる相対定盤移動機構；を有することを特徴としている。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】特許請求の範囲
【補正対象項目名】全文
【補正方法】変更
【補正の内容】
【特許請求の範囲】
【請求項１】
定盤と、この定盤に対して接離移動可能なマンドレルと、このマンドレルに対して接離移動可能な該マンドレルと平行な軸線を有する押圧ロールとを準備するステップ；
上記定盤上に、熱硬化性樹脂シート中に強化繊維を含浸させてなる複数枚のプリプレグを各プリプレグの間に離型シートを介在させた状態で積層した積層プリプレグを載置するステップ；
この定盤上に位置させた上記積層プリプレグの先端をマンドレルに巻き付け、該マンドレルと定盤との間及びマンドレルと押圧ロールとの間に該積層プリプレグを挟んだ状態で、該定盤とマンドレル及びマンドレルと押圧ロールとの間に押圧力を作用させるステップ；及び
この定盤、マンドレル及び押圧ロールの押圧状態において、該定盤とマンドレルとの間に、マンドレルの軸線と交差せずに直交する方向の相対移動力を与えることにより、該マンドレル及び押圧ロールを回転させて該マンドレルに上記積層プリプレグを巻回するとともに、このマンドレルへの巻回中に、上記離型シートを抜去するステップ；
を有することを特徴とするプリプレグの巻回方法。
【請求項２】
定盤と、この定盤に対して接離移動可能なマンドレルと、このマンドレルに対して接離移動可能な該マンドレルと平行な軸線を有する弾性材料からなる押圧ロールと、この押圧ロールを軸線方向の異なる位置においてマンドレル方向へ押圧する複数の加圧ロールと、この複数の加圧ロールと押圧ロールの接触圧力を調整することで上記押圧ロールをマンドレルに押圧する押圧力を変化させる加圧ロール圧力調整シリンダ装置と、を準備するステップ；
上記定盤上に、熱硬化性樹脂シート中に強化繊維を含浸させてなるプリプレグを載置するステップ；
この定盤上に位置させたプリプレグの先端をマンドレルに巻き付け、該マンドレルと定盤との間及びマンドレルと押圧ロールとの間に該プリプレグを挟んだ状態で、該定盤とマンドレル及びマンドレルと押圧ロールとの間に押圧力を作用させるステップ；
上記押圧ロールの周面に上記複数の加圧ロールを弾接させるステップ；
この弾接状態で、上記加圧ロール圧力調整シリンダ装置により、上記複数の加圧ロールと押圧ロールの接触圧力を調整することで、上記押圧ロールをマンドレルに押圧する押圧力を変化させるステップ；及び
上記定盤、マンドレル及び押圧ロールの押圧状態において、該定盤とマンドレルとの間に、マンドレルの軸線と交差せずに直交する方向の相対移動力を与えることにより、該マンドレル及び押圧ロールを回転させて該マンドレルにプリプレグを巻回するステップ；
を有することを特徴とするプリプレグの巻回方法。
【請求項３】
請求項２記載のプリプレグの巻回方法において、
上記プリプレグは、複数枚のプリプレグを各プリプレグの間に離型シートを介在させた状態で積層した積層プリプレグであり、マンドレルへの巻回中に、離型シートを抜去するステップを含むプリプレグの巻回方法。
【請求項４】
請求項１ないし３のいずれか１項記載のプリプレグの巻回方法において、
上記マンドレルは、円柱状であるプリプレグの巻回方法。
【請求項５】
熱硬化性樹脂シート中に強化繊維を含浸させてなるプリプレグを載置する載置平面を有する定盤；
この定盤のプリプレグ載置平面に対し、その軸線を平行にして回転自在に支持したマンドレル；
該マンドレルを定盤の載置平面に対して接離移動させる相対マンドレル移動機構；
その軸線をマンドレルの軸線に平行に維持し、該マンドレルに対して接離移動可能な押圧ロール；
該押圧ロールを定盤及びマンドレルに対して昇降させる相対押圧ロール昇降機構；
上記定盤を固定した機枠；
上記機枠上に、上記定盤のプリプレグ載置平面と平行な方向に移動自在に支持された前後移動枠；
上記前後移動枠に、上記相対マンドレル移動機構及び相対押圧ロール昇降機構が支持されていること；
上記前後移動枠に支持された、上記押圧ロールを軸線方向の異なる位置においてマンドレル方向に押圧する複数の加圧ロール；及び
上記複数の加圧ロールにより上記押圧ロールをマンドレル方向に押圧することで、上記マンドレル及び押圧ロールを、定盤に対し、上記プリプレグ載置平面の平面方向において、マンドレルの軸線と交差せずに直交する方向に相対移動させる相対定盤移動機構；
を有することを特徴とするプリプレグ巻回装置。
【請求項６】
請求項５記載のプリプレグの巻回装置において、
上記押圧ロールをマンドレルに押圧する押圧力を変化させる押圧力可変機構がさらに備えられているプリプレグの巻回装置。